(57)【要約】【課題】ＰＣ上で動作するソフトによりＤＶカメラ・デッキなどを操作し、シーンを認識し、頭出しとキャプチャ開始の同期を取ることが可能なＤＶキャプチャシステムを提供する。【解決手段】構成としては、ユーザが動作処理をおこなうＰＣ２と、ＰＣ２で制御されたＤＶテープを再生して、その映像信号４をＰＣ２に送出するＤＶデッキ１と、ＰＣ２とＤＶデッキ１を接続するＩＥＥＥ１３９４ケーブル３によりＤＶキャプチャシステムを形成している。【選択図】　　　図１
2004007519.tif 000002
【特許請求の範囲】
【請求項１】
コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャシステムであって、
前記コンピュータは、前記ＤＶ再生装置、若しくはＤＶカメラにより再生された映像信号の撮影日時を検出する撮影日時検出手段と、隣接するコマの撮影日時の間隔を検出するコマ間隔検出手段とを備え、
前記撮影日時検出手段により撮影日時を検出した結果、前記デジタルビデオテープの終了点でないと検出し、且つ前記コマ間隔検出手段により検出したコマ間隔が所定の間隔以上開いている場合、現在のコマ位置を終了点とすると共に、新たな開始点とすることを特徴とするＤＶキャプチャシステム。
【請求項２】
前記コンピュータは、前記撮影日時検出手段により撮影日時を検出した結果、前記デジタルビデオテープの終了点であると検出した場合、現在のコマを終了点として前記ＤＶ再生装置、若しくはＤＶカメラの再生を停止することを特徴とする請求項１に記載のＤＶキャプチャシステム。
【請求項３】
コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャシステムであって、
前記コンピュータは、キャプチャの開始点及び終了点を設定するキャプチャ指定範囲設定手段を備え、該キャプチャ指定範囲設定手段により設定されたキャプチャの指定範囲を前記ＤＶ再生装置、若しくはＤＶカメラにより再生して同期をとりつつキャプチャすることを特徴とするＤＶキャプチャシステム。
【請求項４】
前記コンピュータは、前記撮影日時検出手段により撮影日時を検出して、該撮影日時の不連続となる点と点の範囲を１つのシーンとして認識し、該不連続となる点と点の範囲をキャプチャの指定範囲として前記ＤＶ再生装置、若しくはＤＶカメラにより再生して同期をとりつつキャプチャすることを特徴とする請求項１に記載のＤＶキャプチャシステム。
【請求項５】
前記コンピュータは、前記キャプチャの開始点及び終了点を個別に複数設定することができ、前記複数の設定範囲の全てを一括で自動的に且つ連続的にキャプチャ可能であることを特徴とする請求項３に記載のＤＶキャプチャシステム。
【請求項６】
前記コンピュータは、前記撮影日時検出手段により撮影日時を検出して、該撮影日時の不連続となる点と点の範囲を１つのシーンとして認識し、該シーンを個別に複数認識することができ、前記シーンの全てを一括で自動的に且つ連続的にキャプチャ可能であることを特徴とする請求項４に記載のＤＶキャプチャシステム。
【請求項７】
前記キャプチャ指定範囲設定手段により設定するキャプチャ指定範囲を前記デジタルビデオテープの先頭に設定した場合、前記コンピュータは、前記ＤＶ再生装置、若しくはＤＶカメラのデジタルビデオテープを巻き戻し、該デジタルビデオテープが先頭に達すると、該デジタルビデオテープを一旦停止後、再生して同期をとりつつキャプチャすることを特徴とする請求項３に記載のＤＶキャプチャシステム。
【請求項８】
前記コンピュータは、前記撮影日時検出手段により撮影日時を検出して、該撮影日時の不連続となる点と点の範囲を１つのシーンとして認識し、該シーンの開始点を前記デジタルビデオテープの先頭に設定した場合、前記ＤＶ再生装置、若しくはＤＶカメラのデジタルビデオテープを巻き戻し、該デジタルビデオテープが先頭に達すると、該デジタルビデオテープを一旦停止後、再生して同期をとりつつキャプチャすることを特徴とする請求項４に記載のＤＶキャプチャシステム。
【請求項９】
コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャ方法であって、
前記コンピュータは、前記ＤＶ再生装置、若しくはＤＶカメラにより再生された映像信号の撮影日時を検出する撮影日時検出ステップと、隣接するコマの撮影日時の間隔を検出するコマ間隔検出ステップとを備え、
前記撮影日時検出ステップにより撮影日時を検出した結果、前記デジタルビデオテープの終了点でないと検出し、且つ前記コマ間隔検出ステップにより検出したコマ間隔が所定の間隔以上開いている場合、現在のコマ位置を終了点とすると共に、新たな開始点とすることを特徴とするＤＶキャプチャ方法。
【請求項１０】
前記コンピュータは、前記撮影日時検出ステップにより撮影日時を検出した結果、前記デジタルビデオテープの終了点であると検出した場合、現在のコマを終了点として前記ＤＶ再生装置、若しくはＤＶカメラの再生を停止することを特徴とする請求項９に記載のＤＶキャプチャ方法。
【請求項１１】
コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャ方法であって、
前記コンピュータは、キャプチャの開始点及び終了点を設定するキャプチャ指定範囲設定ステップを備え、該キャプチャ指定範囲設定ステップにより設定されたキャプチャの指定範囲を前記ＤＶ再生装置、若しくはＤＶカメラにより再生して同期をとりつつキャプチャすることを特徴とするＤＶキャプチャ方法。
【請求項１２】
前記コンピュータは、前記撮影日時検出ステップにより撮影日時を検出して、該撮影日時の不連続となる点と点の範囲を１つのシーンとして認識し、該不連続となる点と点の範囲をキャプチャの指定範囲として前記ＤＶ再生装置、若しくはＤＶカメラにより再生して同期をとりつつキャプチャすることを特徴とする請求項９に記載のＤＶキャプチャ方法。
【請求項１３】
前記コンピュータは、前記キャプチャの開始点及び終了点を個別に複数設定することができ、前記複数の設定範囲の全てを一括で自動的に且つ連続的にキャプチャ可能であることを特徴とする請求項１１に記載のＤＶキャプチャ方法。
【請求項１４】
前記コンピュータは、前記撮影日時検出ステップにより撮影日時を検出して、該撮影日時の不連続となる点と点の範囲を１つのシーンとして認識し、該シーンを個別に複数認識することができ、前記シーンの全てを一括で自動的に且つ連続的にキャプチャ可能であることを特徴とする請求項１２に記載のＤＶキャプチャ方法。
【請求項１５】
前記キャプチャ指定範囲設定ステップにより設定するキャプチャ指定範囲を前記デジタルビデオテープの先頭に設定した場合、前記コンピュータは、前記ＤＶ再生装置、若しくはＤＶカメラのデジタルビデオテープを巻き戻し、該デジタルビデオテープが先頭に達すると、該デジタルビデオテープを一旦停止後、再生して同期をとりつつキャプチャすることを特徴とする請求項１１に記載のＤＶキャプチャ方法。
【請求項１６】
前記コンピュータは、前記撮影日時検出ステップにより撮影日時を検出して、該撮影日時の不連続となる点と点の範囲を１つのシーンとして認識し、該シーンの開始点を前記デジタルビデオテープの先頭に設定した場合、前記ＤＶ再生装置、若しくはＤＶカメラのデジタルビデオテープを巻き戻し、該デジタルビデオテープが先頭に達すると、該デジタルビデオテープを一旦停止後、再生して同期をとりつつキャプチャすることを特徴とする請求項１２に記載のＤＶキャプチャ方法。
【請求項１７】
請求項９乃至１６の何れか一項に記載のＤＶキャプチャ方法をコンピュータが制御可能にプログラミングしたことを特徴とするＤＶキャプチャ処理プログラム。
【請求項１８】
請求項１７に記載のＤＶキャプチャ処理プログラムをコンピュータが読み取り可能な形式で記録したことを特徴とする記録媒体。
【請求項１９】
ＤＶ再生装置、若しくはＤＶカメラにより再生された映像信号の撮影日時を検出する撮影日時検出手段と、隣接するコマの撮影日時の間隔を検出するコマ間隔検出手段とを備え、
前記撮影日時検出手段により撮影日時を検出した結果、前記デジタルビデオテープの終了点でないと検出し、且つ前記コマ間隔検出手段により検出したコマ間隔が所定の間隔以上開いている場合、現在のコマ位置を終了点とすると共に、新たな開始点とすることを特徴とするコンピュータ。
【発明の詳細な説明】
【０００１】
【発明の属する技術分野】
本発明は、ＩＥＥＥ１３９４ケーブルを接続可能なＰＣ、ＤＶテープを記録・再生可能でかつＩＥＥＥ１３９４ケーブルによりＰＣから制御可能な映像記録再生装置を用いて、手軽にＤＶテープを撮影日時ごとに動画ファイル化するＤＶキャプチャシステムに関する。
【０００２】
【従来の技術】
従来、ＤＶテープからの映像信号をＰＣに入力する動画キャプチャは、ＤＶテープには、撮影日時が１コマごとに記録されているにも関わらず、撮影日時を無視し、ユーザの指定した点からキャプチャを開始し、ユーザが指定した点でキャプチャを終了するといったものであった。通常、撮影日時が連続する場合は１つのシーンであり、途切れた場合は別の時・場所で新たに撮影したものであり、別のシーンと言える。特開平１０−２３２９２４号の「動画像取り込みシステム」によれば、ビデオからＰＣへの入力方法をＵＳＢにし、動画キャプチャボードの必要なしに動画を取り込むことにより廉価に動画キャプチャシステムを構成する。本発明と構成は似ているが、内容は明らかに異なる。
【特許文献１】特開平１０−２３２９２４号公報
【０００３】
【発明が解決しようとする課題】
シーンをまたがってキャプチャすることは稀であり、シーンごとにキャプチャされることが望ましい。このような動画キャプチャシステムにおいて、ＰＣ上で動作するソフトによりＤＶカメラ・デッキなどを操作し、シーンを認識し、頭出しとキャプチャ開始の同期を取ることが出来たならば、キャプチャの能率は大幅に向上する。さらに、シーンが複数認識された場合でも、その区間１つ１つに自動で頭だし・キャプチャ開始操作を連続的かつ自動的に行うことが出来たならば、キャプチャ時の労力は大幅に削減される。
本発明は、かかる課題に鑑み、ＰＣ上で動作するソフトによりＤＶカメラ・デッキなどを操作し、シーンを認識し、頭出しとキャプチャ開始の同期を取ることが可能なＤＶキャプチャシステムを提供することを目的する。
【０００４】
【課題を解決するための手段】
本発明はかかる課題を解決するために、請求項１は、コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャシステムであって、前記コンピュータは、前記ＤＶ再生装置、若しくはＤＶカメラにより再生された映像信号の撮影日時を検出する撮影日時検出手段と、隣接するコマの撮影日時の間隔を検出するコマ間隔検出手段とを備え、前記撮影日時検出手段により撮影日時を検出した結果、前記デジタルビデオテープの終了点でないと検出し、且つ前記コマ間隔検出手段により検出したコマ間隔が所定の間隔以上開いている場合、現在のコマ位置を終了点とすると共に、新たな開始点とすることを特徴とする。
請求項２は、前記コンピュータは、前記撮影日時検出手段により撮影日時を検出した結果、前記デジタルビデオテープの終了点であると検出した場合、現在のコマを終了点として前記ＤＶ再生装置、若しくはＤＶカメラの再生を停止することを特徴とする。
請求項３は、コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャシステムであって、前記コンピュータは、キャプチャの開始点及び終了点を設定するキャプチャ指定範囲設定手段を備え、該キャプチャ指定範囲設定手段により設定されたキャプチャの指定範囲を前記ＤＶ再生装置、若しくはＤＶカメラにより再生して同期をとりつつキャプチャすることを特徴とする。
請求項４は、前記コンピュータは、前記撮影日時検出手段により撮影日時を検出して、該撮影日時の不連続となる点と点の範囲を１つのシーンとして認識し、該不連続となる点と点の範囲をキャプチャの指定範囲として前記ＤＶ再生装置、若しくはＤＶカメラにより再生して同期をとりつつキャプチャすることを特徴とする。
【０００５】
請求項５は、前記コンピュータは、前記キャプチャの開始点及び終了点を個別に複数設定することができ、前記複数の設定範囲の全てを一括で自動的に且つ連続的にキャプチャ可能であることを特徴とする。
請求項６は、前記コンピュータは、前記撮影日時検出手段により撮影日時を検出して、該撮影日時の不連続となる点と点の範囲を１つのシーンとして認識し、該シーンを個別に複数認識することができ、前記シーンの全てを一括で自動的に且つ連続的にキャプチャ可能であることを特徴とする。
請求項７は、前記キャプチャ指定範囲設定手段により設定するキャプチャ指定範囲を前記デジタルビデオテープの先頭に設定した場合、前記コンピュータは、前記ＤＶ再生装置、若しくはＤＶカメラのデジタルビデオテープを巻き戻し、該デジタルビデオテープが先頭に達すると、該デジタルビデオテープを一旦停止後、再生して同期をとりつつキャプチャすることを特徴とする。
請求項８は、前記コンピュータは、前記撮影日時検出手段により撮影日時を検出して、該撮影日時の不連続となる点と点の範囲を１つのシーンとして認識し、該シーンの開始点を前記デジタルビデオテープの先頭に設定した場合、前記ＤＶ再生装置、若しくはＤＶカメラのデジタルビデオテープを巻き戻し、該デジタルビデオテープが先頭に達すると、該デジタルビデオテープを一旦停止後、再生して同期をとりつつキャプチャすることを特徴とする。
請求項９は、コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャ方法であって、前記コンピュータは、前記ＤＶ再生装置、若しくはＤＶカメラにより再生された映像信号の撮影日時を検出する撮影日時検出ステップと、隣接するコマの撮影日時の間隔を検出するコマ間隔検出ステップとを備え、前記撮影日時検出ステップにより撮影日時を検出した結果、前記デジタルビデオテープの終了点でないと検出し、且つ前記コマ間隔検出ステップにより検出したコマ間隔が所定の間隔以上開いている場合、現在のコマ位置を終了点とすると共に、新たな開始点とすることを特徴とする。
【０００６】
請求項１０は、前記コンピュータは、前記撮影日時検出ステップにより撮影日時を検出した結果、前記デジタルビデオテープの終了点であると検出した場合、現在のコマを終了点として前記ＤＶ再生装置、若しくはＤＶカメラの再生を停止することを特徴とする。
請求項１１は、コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャ方法であって、前記コンピュータは、キャプチャの開始点及び終了点を設定するキャプチャ指定範囲設定ステップを備え、該キャプチャ指定範囲設定ステップにより設定されたキャプチャの指定範囲を前記ＤＶ再生装置、若しくはＤＶカメラにより再生して同期をとりつつキャプチャすることを特徴とする。
請求項１２は、前記コンピュータは、前記撮影日時検出ステップにより撮影日時を検出して、該撮影日時の不連続となる点と点の範囲を１つのシーンとして認識し、該不連続となる点と点の範囲をキャプチャの指定範囲として前記ＤＶ再生装置、若しくはＤＶカメラにより再生して同期をとりつつキャプチャすることを特徴とする。
請求項１３は、前記コンピュータは、前記キャプチャの開始点及び終了点を個別に複数設定することができ、前記複数の設定範囲の全てを一括で自動的に且つ連続的にキャプチャ可能であることを特徴とする。
請求項１４は、前記コンピュータは、前記撮影日時検出ステップにより撮影日時を検出して、該撮影日時の不連続となる点と点の範囲を１つのシーンとして認識し、該シーンを個別に複数認識することができ、前記シーンの全てを一括で自動的に且つ連続的にキャプチャ可能であることを特徴とする。
請求項１５は、前記キャプチャ指定範囲設定ステップにより設定するキャプチャ指定範囲を前記デジタルビデオテープの先頭に設定した場合、前記コンピュータは、前記ＤＶ再生装置、若しくはＤＶカメラのデジタルビデオテープを巻き戻し、該デジタルビデオテープが先頭に達すると、該デジタルビデオテープを一旦停止後、再生して同期をとりつつキャプチャすることを特徴とする。
【０００７】
請求項１６は、前記コンピュータは、前記撮影日時検出ステップにより撮影日時を検出して、該撮影日時の不連続となる点と点の範囲を１つのシーンとして認識し、該シーンの開始点を前記デジタルビデオテープの先頭に設定した場合、前記ＤＶ再生装置、若しくはＤＶカメラのデジタルビデオテープを巻き戻し、該デジタルビデオテープが先頭に達すると、該デジタルビデオテープを一旦停止後、再生して同期をとりつつキャプチャすることを特徴とする。
請求項１７は、請求項９乃至１６の何れか一項に記載のＤＶキャプチャ方法をコンピュータが制御可能にプログラミングしたことを特徴とする。
請求項１８は、請求項１７に記載のＤＶキャプチャ処理プログラムをコンピュータが読み取り可能な形式で記録したことを特徴とする。
請求項１９は、ＤＶ再生装置、若しくはＤＶカメラにより再生された映像信号の撮影日時を検出する撮影日時検出手段と、隣接するコマの撮影日時の間隔を検出するコマ間隔検出手段とを備え、前記撮影日時検出手段により撮影日時を検出した結果、前記デジタルビデオテープの終了点でないと検出し、且つ前記コマ間隔検出手段により検出したコマ間隔が所定の間隔以上開いている場合、現在のコマ位置を終了点とすると共に、新たな開始点とすることを特徴とする。
【０００８】
【発明の実施の形態】
以下、本発明を図示した実施例に基づいて説明する。
図１は請求項１、２、９、１０に対応する本発明の実施例としての構成図、および、フローチャートである。尚、撮影日時検出手段（ステップ）、コマ間隔検出手段（ステップ）、及びキャプチャ指定範囲設定手段（ステップ）は主としてＰＣ２内のプログラムにより構成される。
構成としては、ユーザが動作処理をおこなうＰＣ２と、ＰＣ２で制御されたＤＶテープを再生して、その映像信号４をＰＣ２に送出するＤＶデッキ１と、ＰＣ２とＤＶデッキ１を接続するＩＥＥＥ１３９４ケーブル３によりＤＶキャプチャシステムを形成している。
まずＤＶデッキまたはＤＶカメラをテープ先頭から再生、あるいは早送り再生し（１１）、撮影日時を検出する（１２）。再生しているテープがまだ終了地点に達していないとき（１３でＮｏ）、前コマの撮影日時と比較をおこなう（１４）。通常は、隣り合うシーンは同じ日時か、１秒の差があるのみであるが、撮影日時が異なるシーンが隣り合っている場合は、２秒以上の差が検出される。この差が閾値以上でなければ（１４でＮｏ）、同じシーンとして取り扱い、次のコマの撮影日時を検出する（１２）。この差が閾値以上であれば（１４でＹｅｓ）、そこを区切り点とし、それが最初の区切り点であればテープ先頭からその区切り点までを１つのシーンとし（１５）、次以降は前シーンの終了点からその次の区切り点までを次のシーンとして次のコマの撮影日時を検出する（１２）。以上の処理を繰り返していき、テープの終了地点に達したとき（１３でＹｅｓ）、テープの映像信号終了点とその前の区切り点を最後のシーンとすることにより、再生を停止して（１６）終了する。このような処理でＤＶデッキからの動画キャプチャ時にキャプチャ開始点および終了点の指定が必要なくなり、労力軽減を図れる。
【０００９】
図２は請求項３、１１に対応する本発明の実施例の構成図、および、フローチャートである。構成としては図１に示したものと同一である。ユーザはＰＣからＤＶデッキまたはＤＶカメラを操作し、ＤＶデッキで再生される映像はＰＣの画面上に表示され、その映像を見てキャプチャしたい範囲の開始点と終了点を指定する（２１、２２）。その後、キャプチャの開始を指示する（２３）。すると、再生してから映像が安定するまでの時間を考慮し開始点よりも５秒ほど前の位置まで頭出しされ、その後、再生が開始される（２４）。再生が進み、開始点に達したらキャプチャが開始される（２５）。そして、終了点に達したらキャプチャが終了される（２６）。このことにより、ＤＶデッキからの動画キャプチャ時の頭出しや終了するまで見守る必要もなくなり、精度向上および労力軽減を図れる。
図３は請求項５、１３に対応する本発明の実施例の構成図、および、フローチャートである。ユーザはＰＣからＤＶデッキを操作し、ＤＶデッキで再生される映像はＰＣの画面上に表示され、その映像を見てキャプチャしたい範囲の開始点と終了点を複数指定できる（３１〜３３）。その後、キャプチャの開始を指示する（３４）。すると、再生してから映像が安定するまでの時間を考慮し開始点よりも５秒ほど前の位置まで頭出しされ、その後、再生が開始される（３５）。再生が進み、開始点に達したらキャプチャが開始される（３６）。そして終了点に達したときに（３７）、まだキャプチャ処理していない区間があれば（３８でＹｅｓ）、次の開始点よりも５秒ほど前の位置まで頭出しされ（３５）、前記と同様の動作をすべての開始点、終了点のペアに対して行われる。全ての区間がキャプチャ処理されたら（３８でＮｏ）、本実施例の動作処理を終了する。このことにより、ＤＶデッキからの複数範囲の動画キャプチャ時の頭出しや終了するまで見守る必要もなくなり、精度向上および労力軽減を図れる。
【００１０】
図４は請求項４、１２に対応する本発明の実施例の構成図、および、フローチャートである。構成としては、図１に示したものと同一である。ユーザはＰＣからＤＶデッキまたはＤＶカメラを操作し、請求項＿記載の方法でシーンを検出した後（４１）、キャプチャの開始を指示する（４２）。すると、再生してから映像が安定するまでの時間を考慮しシーン開始点よりも５秒ほど前の位置まで頭出しされ、その後、再生が開始される（４３）。再生が進み、シーン開始点に達したらキャプチャが開始される（４４）。そして、シーン終了点に達したらキャプチャが終了される（４５）。このことにより、ＤＶデッキからの動画キャプチャ時の頭出しや終了するまで見守る必要もなくなり、精度向上および労力軽減を図れる。
図５は請求項６、１４に対応する本発明の実施例のフローチャートである。ユーザはＰＣからＤＶデッキを操作し、請求項１記載の方法でシーンを検出した後（５１）、キャプチャの開始を指示する（５２）。すると、再生してから映像が安定するまでの時間を考慮しシーン開始点よりも５秒ほど前の位置まで頭出しされ、その後、再生が開始される（５３）。再生が進み、シーン開始点に達したらキャプチャが開始される（５４）。そしてシーン終了点に達したときに（５５）、まだキャプチャ処理していない区間があれば（５６でＹｅｓ）、次のシーン開始点よりも５秒ほど前の位置まで頭出しされ（５３）、前記と同様の動作をすべてのシーンに対して行われる。すべての区間がキャプチャ処理されたら（５６でＮｏ）、本実施例の動作処理を終了する。このことにより、ＤＶデッキからの複数シーンの動画キャプチャ時の頭出しや終了するまで見守る必要もなくなり、精度向上および労力軽減を図れる。
【００１１】
図６は請求項７、１５に対応する本発明の実施例のフローチャートであり、ユーザが図２の処理動作によりキャプチャする範囲を指定していき（６１〜６３）、テープ先頭を開始点にした場合（６４でＹｅｓ）、キャプチャ開始前にテープ先頭まで巻き戻される。しかし、ＤＶデッキの場合、テープ先頭に達すると勝手に停止してしまう。これはテープ保護のためである。また、映像の安定のために５秒前に戻すことは不可能である。そこで、テープ先頭に達したかどうかを検出し、達した場合はその位置から再生を開始する（６６）。テープ先頭を開始点にしない場合（６４でＮｏ）、開始点で再生およびキャプチャされる（６５）。以上の動作処理で終了点までキャプチャしたらキャプチャを終了する（６７）。このようにすることにより、テープの先頭から安定した映像でキャプチャを開始することが可能であり、また、ＤＶデッキからの動画キャプチャ時にテープ先頭であるかどうかを意識する必要がなくなり、労力軽減を図れる。
図７は請求項８、１６に対応する本発明の実施例のフローチャートであり、ユーザが図４の処理動作により認識したシーンに対しキャプチャする際に（７１）、テープ先頭を開始点にした場合（７２でＹｅｓ）、キャプチャ開始前にテープ先頭まで巻き戻される。しかし、ＤＶデッキの場合、テープ先頭に達すると勝手に停止してしまう。これはテープ保護のためである。また、映像の安定のために５秒前に戻すことは不可能である。そこで、テープ先頭に達したかどうかを検出し、達した場合はその位置から再生を開始する（７４）。テープ先頭を開始点にしない場合（７２でＮｏ）、開始点で再生およびキャプチャされる（７３）。以上の動作処理で終了点までキャプチャしたらキャプチャを終了する（７５）。このようにすることにより、テープの先頭から安定した映像でキャプチャを開始することが可能であり、また、ＤＶデッキからの動画キャプチャ時にテープ先頭であるかどうかを意識する必要がなくなり、労力軽減を図れる。
【００１２】
【発明の効果】
請求項１、２、９、１０記載の発明によれば、撮影開始点および終了点の検索に掛かる労力が大幅に軽減される。
請求項３、１１記載の発明によれば、ＤＶデッキからの動画キャプチャ時の精度向上および労力軽減を図れる。
請求項４、１２記載の発明によれば、ＤＶデッキからシーンごとの動画キャプチャ時の精度向上および労力軽減を図れる。
請求項５、１３記載の発明によれば、ＤＶデッキからの複数シーンの動画キャプチャ時の精度向上および労力軽減を図れる。
請求項６、１４記載の発明によれば、ＤＶデッキからの複数範囲の動画キャプチャ時において、テープの先頭であるかどうかを意識する必要が無くなり、労力軽減を図れる。
請求項７、１５記載の発明によれば、ＤＶデッキからの複数範囲の動画キャプチャ時において、テープの先頭であるかどうかを意識する必要が無くなり、労力軽減を図れる。
請求項８、１６記載の発明によれば、ＤＶデッキからの複数範囲の動画キャプチャ時において、テープの先頭であるかどうかを意識する必要が無くなり、労力軽減を図れる。
請求項１７記載の発明によれば、本発明のＤＶキャプチャ方法をコンピュータが制御可能なＯＳに従ってプログラミングすることにより、そのＯＳを備えたコンピュータであれば同じＤＶキャプチャ方法により制御することができる。
請求項１８記載の発明によれば、ＤＶキャプチャ処理プログラムをコンピュータが読み取り可能な形式で記録媒体に記録することにより、この記録媒体を持ち運ぶことにより何処でもＤＶキャプチャ処理プログラムを稼動することができる。
請求項１９記載の発明によれば、請求項１と同様の作用効果を奏する。
【図面の簡単な説明】
【図１】請求項１、２、９、１０に対応する本発明の実施例の構成図、および、フローチャートである。
【図２】請求項３、１１に対応する本発明の実施例の構成図、および、フローチャートである。
【図３】請求項５、１３に対応する本発明の実施例の構成図、および、フローチャート（範囲指定を複数おこなう処理動作を示すもの）である。
【図４】請求項４、１２に対応する本発明の実施例の構成図、および、フローチャートである。
【図５】請求項６、１４に対応する本発明の実施例のフローチャートである。
【図６】請求項７、１５に対応する本発明の実施例のキャプチャ範囲を任意指定する場合の処理動作を示すフローチャートである。
【図７】請求項８、１６に対応する本発明の実施例の認識したシーンに対しキャプチャをおこなう場合の処理動作を示すフローチャートである。
【符号の説明】
１　ＤＶデッキ、２　ＰＣ、３　ＩＥＥＥ１３９４ケーブル、４　映像信号
【図１】
2004007519.tif 000003
【図２】
2004007519.tif 000004
【図３】
2004007519.tif 000005
【図４】
2004007519.tif 000006
【図５】
2004007519.tif 000007
【図６】
2004007519.tif 000008
【図７】
2004007519.tif 000009